【手続補正書】
【提出日】平成29年3月9日(2017.3.9)
【手続補正１】
【補正対象書類名】明細書
【補正対象項目名】００８２
【補正方法】変更
【補正の内容】
【００８２】
いかなる特定の作用理論に拘束されることを意図するものではないが、本発明の二酸化チタン顔料１０の抗凝塊形成ポリマー１４の有効性は、多くの要因によるものと考えられる。ポリマー１４の固定基（例えば、カルボニル基、ヒドロキシル基、アルコキシ基又はアミン基）の性質及び数は、ポリマーが効率的に顔料粒子２０に結合することを可能にする。疎水性末端基は、樹脂粒子表面と相互作用するミセルを形成する。ポリマー１４の疎水性末端基２８と水性塗料配合物１２の樹脂粒子３０の相互作用によって形成されたネットワーク３４は、粒子の凝塊の形成を効果的に防ぐ。抗凝塊形成ポリマー１４は、水性コーティング配合物１２との相溶性を有し、この相溶性は、基板上での配合物の最終乾燥段階全体にわたって続く。抗凝塊形成ポリマー１４に関して分子量及びポリマー鎖の長さは、二酸化チタン粒子間のファンデルワールス引力を克服するのに十分であり、粒子の凝塊の形成を防ぐのに役立つ。静電気力及び立体的な力の両方が、水性塗料配合物中の顔料粒子の分散安定性に関与しているが、立体的な力が、塗膜の乾燥時の顔料粒子のクラウディング効果を最小限に抑えるために支配的な役割を果たす場合があると考えられている。
【手続補正２】
【補正対象書類名】特許請求の範囲
【補正対象項目名】全文
【補正方法】変更
【補正の内容】
【特許請求の範囲】
【請求項１】
複数の二酸化チタン粒子であって、前記粒子は、前記粒子へのポリマーの固定を容易にするための、前記粒子に結合した固定化部分構造を有する、複数の二酸化チタン粒子と、
水性コーティング配合物中の前記二酸化チタン粒子の凝塊形成を抑制するための、前記二酸化チタン粒子上に付着したポリマー
とを含む、二酸化チタン顔料であって、
前記コーティング配合物は、水性溶媒と樹脂とを含み、
前記ポリマーは、前記二酸化チタン粒子に結合した前記固定化部分構造に結合するための固定基と、前記コーティング配合物の前記樹脂の粒子と相互作用するための疎水性末端基とを有するコポリマーであって、前記コーティング配合物中の前記二酸化チタン粒子と前記樹脂粒子との間のネットワークを形成する、コポリマーである、
二酸化チタン顔料。
【請求項２】
前記水性コーティング配合物は、水性塗料配合物である、請求項１に記載の二酸化チタン顔料。
【請求項３】
前記固定化部分構造は、ヒドロキシル部分構造、リン酸部分構造、及びそれらの混合物からなる群より選択される、請求項１に記載の二酸化チタン顔料。
【請求項４】
前記固定化部分構造がヒドロキシル部分構造である、請求項３に記載の二酸化チタン顔料。
【請求項５】
前記二酸化チタン粒子上に付着した１つ以上の水和金属酸化物コーティングをさらに含む、請求項１に記載の二酸化チタン顔料。
【請求項６】
前記ポリマーが疎水性部分構造と親水性部分構造との両方を有する、請求項1に記載の二酸化チタン顔料。
【請求項７】
前記ポリマーが、ポリエーテル系繰り返し単位とポリエステル系繰り返し単位を含み、前記ポリエーテル系繰り返し単位と前記ポリエステル系繰り返し単位が互いに連結されている、請求項６に記載の二酸化チタン顔料。
【請求項８】
前記ポリエーテル系繰り返し単位がポリオールである、請求項７に記載の二酸化チタン顔料。
【請求項９】
前記ポリオールが、ポリエチレングリコール、トリメチロールプロパン、ペンタエリスリトール、マンニトール、及びそれらの混合物からなる群から選択される、請求項８に記載の二酸化チタン顔料。
【請求項１０】
前記ポリオールがポリエチレングリコールである、請求項９に記載の二酸化チタン顔料。
【請求項１１】
前記ポリエステル系繰り返し単位は、ヒドロキシル末端ポリエステルである、請求項７の二酸化チタン顔料。
【請求項１２】
前記ポリエーテル系繰り返し単位と前記ポリエステル系繰り返し単位が、ウレタン結合によって連結されている、請求項７に記載の二酸化チタン顔料。
【請求項１３】
前記ウレタン結合がジイソシアナートである、請求項１２に記載の二酸化チタン顔料。
【請求項１４】
前記ウレタン結合が、脂肪族ジイソシアナートである、請求項１３に記載の二酸化チタン顔料。
【請求項１５】
前記脂肪族ジイソシアナートがイソホロンジイソシアナートである、請求項１４に記載の二酸化チタン顔料。
【請求項１６】
前記疎水性末端基が、一般式：
H-(OCH2CH2)x-O-CH2(CH2)yCH2-R
（式中：
ｘ＝２〜２０；
ｙ＝５〜１０；及び
Ｒは水素基又はフェニル基である。）
を有する、請求項７に記載の二酸化チタン顔料。
【請求項１７】
前記疎水性末端基は、エチレングリコールアルキルエーテルのオリゴマーである、請求項１６に記載の二酸化チタン顔料。
【請求項１８】
前記疎水性末端基が、ヘプタエチレングリコールドデシルエーテル、ドデカエチレングリコールドデシルエーテル、ペンタデカエチレングリコールドデシルエーテル、及びそれらの混合物から選択される、請求項１７に記載の二酸化チタン顔料。
【請求項１９】
前記疎水性末端基がドデカエチレングリコールドデシルエーテルである、請求項１８に記載の二酸化チタン顔料。
【請求項２０】
前記ポリマーが、５０重量％〜８０重量％の範囲の前記ポリエーテル系繰り返し単位、５重量％〜４０重量％の範囲の前記ポリエステル系繰り返し単位、及び０．５重量％〜１５重量％の範囲の疎水性末端基を含む、請求項７に記載の二酸化チタン顔料。
【請求項２１】
前記ポリマーは、エチレングリコールアルキルエーテルのオリゴマーである末端基を有する、ポリエーテル系ポリウレタンとポリエステル系ポリウレタンのランダムコポリマーである、請求項１に記載の二酸化チタン顔料。
【請求項２２】
前記ポリマーが、末端基としてヘプタエチレングリコールドデシルエーテルを有するポリエチレングリコール系アジペート、末端基としてドデカエチレングリコールドデシルエーテルを有するポリエチレングリコール系アジペート、及び、末端基としてペンタデカエチレングリコールドデシルエーテルを有するポリエチレングリコール系アゼレートからなる群から選択される、請求項２１に記載の二酸化チタン顔料。
【請求項２３】
前記ポリマーが、末端基としてヘプタエチレングリコールドデシルエーテルを有するポリエチレングリコール系アジペートである、請求項２２に記載の二酸化チタン顔料。
【請求項２４】
前記ポリマーは、１０キロダルトンから７０キロダルトンの範囲の分子量を有する、請求項１に記載の二酸化チタン顔料。
【請求項２５】
前記ポリマーが前記二酸化チタン粒子に結合する性質を増強するための、前記二酸化チタン粒子上に付着した非イオン性界面活性剤をさらに含む、請求項１に記載の二酸化チタン顔料。
【請求項２６】
前記非イオン性界面活性剤が、１０から２０個の範囲の炭素原子を有する炭化水素である、請求項２５に記載の二酸化チタン顔料。
【請求項２７】
前記非イオン性界面活性剤は、ａ）飽和脂肪族炭化水素、ｂ）１つ以上の二重結合を有する不飽和脂肪族炭化水素、ｃ）１つ以上のエトキシ化炭化水素鎖を有する不飽和脂肪族炭化水素、及びｄ）それらの混合物からなる群から選択される、請求項２６に記載の二酸化チタン顔料。
【請求項２８】
前記非イオン性界面活性剤は、アミン、アミド、カルボキシラート、エステル、ヒドロキシル、ホスファート、シラン、スルホナート、及びチオールからなる群から選択される１つ以上の官能基を含む、請求項２６に記載の二酸化チタン顔料。
【請求項２９】
前記非イオン性界面活性剤の親水性−親油性バランスが１０〜１８である、請求項２８に記載の二酸化チタン顔料。
【請求項３０】
前記非イオン性界面活性剤は、前記顔料の総重量に対して０．１〜５重量％の範囲の量で前記顔料上に付着する、請求項２５に記載の二酸化チタン顔料。
【請求項３１】
前記水性コーティング配合物は水性塗料配合物である、請求項１２に記載の二酸化チタン顔料。